(57)【要約】【課題】本発明は、バイクの使用効果を高める、バイク後部座席フットレストを提供する。【解決手段】本発明において、バイクはフレームユニットを有する。フレームユニットには後部座席フットレスト固定部が設けられる。後部座席フットレスト固定部は、フレームユニットを貫通した少なくとも一つの貫通孔を有する。貫通孔内にはスリーブが貫設される。後部座席フットレスト固定部には、後部座席フットレスト部品が組合される。後部座席フットレスト部品は、後部座席フットレスト台座、及び後部座席フットレスト台座に枢設された後部座席フットレストを有する。以上により、後部座席フットレスト部品と後方フレームの間にブラケットを介設する必要が無くなるため、後部座席フットレスト部品の組立工程の簡略化、及びバイク幅の増加防止が可能になるとともに、バイクに後部座席フットレストを設置する際のコストを削減出来る。【選択図】図２
2017047884.tif 000002
【特許請求の範囲】
【請求項１】
バイク後部座席フットレストであって、
前記バイクは、フレームユニットを有し、
前記フレームユニットには、後部座席フットレスト固定部が設けられ、
前記後部座席フットレスト固定部は、前記フレームユニットを貫通した少なくとも一つの貫通孔を有し、
前記貫通孔内には、スリーブが貫設され、
更に、前記後部座席フットレスト固定部には、後部座席フットレスト部品が組合され、
前記後部座席フットレスト部品は、後部座席フットレスト台座、及び前記後部座席フットレスト台座に枢設された後部座席フットレストを有することを特徴とする、バイク後部座席フットレスト。
【請求項２】
更に、前記フレームユニットは、前方フレームと、後方フレームとからなり、
前記後方フレームは、上昇パイプ部、及び前記上昇パイプ部から車体後方へ向かって延伸した延伸パイプ部を有することを特徴とする、請求項１に記載のバイク後部座席フットレスト。
【請求項３】
更に、前記バイクには、シート、及び前記シート下方に位置する中央蓋と車体蓋が設けられるとともに、前記後方フレームの上昇パイプ部及び延伸パイプ部の一部が、前記中央蓋と車体蓋の間において外部露出することを特徴とする、請求項２に記載のバイク後部座席フットレスト。
【請求項４】
更に、前記中央蓋と車体蓋の間において外部露出した上昇パイプ部には、後部座席フットレスト固定部が設けられ、
前記後部座席フットレスト固定部は、更に凹部を有することを特徴とする、請求項３に記載のバイク後部座席フットレスト。
【請求項５】
更に、前記前方フレームは、ヘッドパイプを有し、
前記ヘッドパイプには、メインパイプが接続され、
前記メインパイプには、サイドパイプが接続され、
前記後方フレームの上昇パイプ部は、前記前方フレームのサイドパイプと互いに接続されることを特徴とする、請求項２に記載のバイク後部座席フットレスト。
【請求項６】
更に、前記後部座席フットレスト台座の一端には、螺合部が設けられ、
前記螺合部には、少なくとも一つの螺合孔が設けられ、
前記螺合孔は、前記後部座席フットレスト固定部の貫通孔と互いに対応し、
前記後部座席フットレスト台座には、前記螺合部の一側から延伸した延伸部が設けられ、
前記後部座席フットレスト台座における前記延伸部の他端には、枢設部が設けられ、
前記枢設部には、後部座席フットレストが枢設されることを特徴とする、請求項１に記載のバイク後部座席フットレスト。
【請求項７】
更に、前記延伸部は、バイクの車体外側後方に延伸して設けられることを特徴とする、請求項６に記載のバイク後部座席フットレスト。
【請求項８】
更に、前記枢設部と前記螺合部は、それぞれ前記延伸部の二端に位置することを特徴とする、請求項６に記載のバイク後部座席フットレスト。
【請求項９】
更に、前記スリーブ外周縁は、溶接方式によって前記貫通孔に固定されることを特徴とする、請求項１に記載のバイク後部座席フットレスト。
【請求項１０】
更に、前記スリーブ内には、内ネジ山が設けられることを特徴とする、請求項１或は９のいずれか一つに記載のバイク後部座席フットレスト。
【発明の詳細な説明】
【技術分野】
【０００１】
本発明は、バイク後部座席フットレストに関し、特に、後部座席フットレスト部品の組立工程の簡略化、及びバイク幅の増加防止が可能であり、バイクの使用効果を高められる、バイク後部座席フットレストに関する。
【背景技術】
【０００２】
バイク後部座席の同乗者が快適に足を置けるように、バイクには後部座席フットレストが設けられる。前記後部座席フットレストによって、後部座席の同乗者には快適な足置き場が提供される。
【０００３】
図１を参照する。バイク１は、フレームユニット１１の側方フレーム１１１上にブラケット１２が溶接されるとともに、ブラケット１２には螺合孔１２１が設けられ、且つ螺合孔１２１には後部座席フットレスト台座１３が螺合される。更に、後部座席フットレスト台座１３には後部座席フットレスト１４が枢設され、後部座席フットレスト１４は自由に引出したり収納したりすることが出来る。
【０００４】
従来の後部座席フットレスト１４は、上述した構造により、後部座席フットレスト１４を側方フレーム１１１に固定するとともに、後部座席の同乗者に快適な足置き場を提供することが出来るものの、後部座席フットレスト台座１３と側方フレーム１１１の間にブラケット１２が介設されており、ブラケット１２が設けられることで、バイク１の後部座席フットレスト１４の設置箇所における車両幅が増してしまい、更にはバイク１の他部品の設置を阻害したり、バイク１全体が大型化したりする。
【発明の概要】
【発明が解決しようとする課題】
【０００５】
本発明は、従来のバイク後部座席フットレスト部品の組立工程の複雑さを解消し、且つバイク幅の増加という欠点を取り除くことが可能な、バイク後部座席フットレストを提供することを目的とする。
【課題を解決するための手段】
【０００６】
上述の目的を達成するために、本発明が提供するバイク後部座席フットレストにおいて、前記バイクは、フレームユニットを有する。前記フレームユニットには、後部座席フットレスト固定部が設けられる。前記後部座席フットレスト固定部は、前記フレームユニットを貫通した少なくとも一つの貫通孔を有する。前記貫通孔内には、スリーブが貫設される。更に、前記後部座席フットレスト固定部には、後部座席フットレスト部品が組合される。前記後部座席フットレスト部品は、後部座席フットレスト台座、及び前記後部座席フットレスト台座に枢設された後部座席フットレストを有する。
【０００７】
本発明は、上述した構造により、以下の効果を達成する。
即ち、前記フレームユニットの後方フレームには後部座席フットレスト固定部が設けられ、前記後部座席フットレスト固定部は前記後方フレームを貫通した少なくとも一つの貫通孔を有し、前記貫通孔内にはスリーブが貫設され、後部座席フットレストが枢設された前記後部座席フットレスト部品は前記後部座席フットレスト固定部に直接螺合されることにより、前記後部座席フットレスト部品と後方フレームの間にブラケットが介設される必要が無くなる。よって、前記後部座席フットレスト部品の組立工程の簡略化、及びバイク幅の増加防止が可能になるとともに、バイクに後部座席フットレストを設置する際のコストを削減出来るため、前記バイクの使用効果を高められる。
【０００８】
また、上述の目的を達成するために、本発明が提供するもう一つのバイク後部座席フットレストにおいて、前記フレームユニットの上方には、乗車者が座るためのシートが設けられる。前記シートの前端下方には中央蓋が設けられ、前記シートの二側下方には車体蓋が設けられる。前記後方フレームの上昇パイプ部、及び延伸パイプ部の一部は、前記中央蓋と車体蓋の間において外部露出している。
【０００９】
本発明は、上述したもう一つの構造により、以下の効果を達成する。即ち、前記後方フレームの上昇パイプ部、及び延伸パイプ部の一部が前記中央蓋と車体蓋の間において外部露出して、前記後方フレームの上昇パイプ部上における後部座席フットレスト固定部の凹部が、前記中央蓋と車体蓋の間において外部露出することにより、後部座席フットレスト固定部に螺合される前記後部座席フットレスト部品の螺設とメンテナンスがし易くなる。
【図面の簡単な説明】
【００１０】
【図１】従来のバイク後部座席フットレストの分解図である。
【図２】本発明のバイク後部座席フットレストの分解図である。
【図３】本発明のバイク（車体蓋を含む）の部分側方視図である。
【図４】本発明の後部座席フットレストの組立を示した部分断面図である。
【図５】本発明のバイク後部と後部座席フットレストの俯瞰図である。
【発明を実施するための形態】
【００１１】
まず、図２、３を参照する。
本発明のバイク２は、フレームユニット２１を有し、フレームユニット２１は、前方フレーム２１ａ及び後方フレーム２１ｂを有する。前方フレーム２１ａは、前方に設けられたヘッドパイプ２１１を有し、ヘッドパイプ２１１は、車体の後部下方に向かって接続されたメインパイプ２１２、及びメインパイプ２１２から車体後方に向かって接続された左右一対のサイドパイプ２１３を有する。また後方フレーム２１ｂは、サイドパイプ２１３と接続され且つサイドパイプ２１３から車体後方に向かって延伸した上昇パイプ部２１４、及び上昇パイプ部２１４から車体後方に向かって延伸した延伸パイプ部２１５を有する。後方フレーム２１ｂの上昇パイプ部２１４には、後部座席フットレスト固定部２１６が設けられる。後部座席フットレスト固定部２１６は、凹部２１６１を有する。更に後部座席フットレスト固定部２１６は、後方フレーム２１ｂの上昇パイプ部２１４を貫通した少なくとも一つの貫通孔２１６２（図中では二つの貫通孔によって示した）を有し、貫通孔２１６２内には、スリーブ２２が貫設される。スリーブ２２の外周縁は、溶接或は粘着方式によって貫通孔２１６２に固定されるとともに、スリーブ２２内には、内ネジ山２２１が設けられる。後部座席フットレスト固定部２１６には、後部座席フットレスト部品３が螺合される。
【００１２】
図２、３に示したように、フレームユニット２１の上方には乗車者が座るためのシート２３が設けられる。シート２３の前端下方には中央蓋２４が設けられ、シート２３の二側下方には車体蓋２５が設けられる。後方フレーム２１ｂの上昇パイプ部２１４、及び延伸パイプ部２１５の一部は、中央蓋２４と車体蓋２５の間において外部露出する。より詳しく述べると、後方フレーム２１ｂの上昇パイプ部２１４上における後部座席フットレスト固定部２１６の凹部２１６１は、中央蓋２４と車体蓋２５の間において外部露出しており、これにより後部座席フットレスト固定部２１６に螺合される後部座席フットレスト部品３の螺設とメンテナンスがし易くなる。
【００１３】
図２、４、５を参照する。
後部座席フットレスト部品３は、後部座席フットレスト台座３１、及び後部座席フットレスト台座３１に枢設された後部座席フットレスト３２を有する。後部座席フットレスト台座３１の一端は、螺合部３１１を有し、螺合部３１１には螺合孔３１１１が設けられる。螺合孔３１１１は、後部座席フットレスト固定部２１６の貫通孔２１６２と互いに対応している。更に後部座席フットレスト台座３１は、螺合部３１１の一側から延伸した延伸部３１２を有し、延伸部３１２はバイク２の車体外側後方へ向けて延伸して設けられる。後部座席フットレスト台座３１における延伸部３１２の他端には、枢設部３１３が設けられる。枢設部３１３と螺合部３１１は、それぞれ延伸部３１２の二端に設けられる。また枢設部３１３には、後部座席フットレスト３２が枢設され、これにより後部座席フットレスト３２は、自由に後部座席フットレスト台座３１から弾き出されたり、後部座席フットレスト台座３１に収納されたりする。後部座席フットレスト３２は、後部座席の同乗者の足置きとして用いられる。
【００１４】
図２、３、４を参照する。
本発明のバイク後部座席フットレストの組立は、まず、フレームユニット２１の後部座席フットレスト固定部２１６における貫通孔２１６２内に、それぞれスリーブ２２を貫設させるとともに、スリーブ２２外周縁を溶接或は粘着方式によって貫通孔２１６２に固定する。更に、後部座席フットレスト部品３の螺合部３１１に螺合部品Ｓを貫設させてから、スリーブ２２内の内ネジ山２２１に螺合する。これにより、後部座席フットレスト部品３がフレームユニット２１の後部座席フットレスト固定部２１６に螺合される。後部座席フットレスト部品３は、後部座席フットレスト台座３１の延伸部３１２によって、後部座席フットレスト台座３１の枢設部３１３に枢設された後部座席フットレスト３２が、バイク２の車体と一定の間隔を保つようになるため、後部座席フットレスト３２の使用が便利になる。
【００１５】
本発明の効果は以下の通りである。
即ち、フレームユニット２１の後方フレーム２１ｂには後部座席フットレスト固定部２１６が設けられ、後部座席フットレスト固定部２１６は後方フレーム２１ｂの上昇パイプ部２１４を貫通した少なくとも一つの貫通孔２１６２を有し、貫通孔２１６２内にはスリーブ２２が貫設され、後部座席フットレスト３２が枢設された後部座席フットレスト部品３は後部座席フットレスト固定部２１６に直接螺合されることにより、後部座席フットレスト部品３と後方フレーム２１ｂの間にブラケットが介設される必要が無くなる。よって、後部座席フットレスト部品３の組立工程の簡略化、及びバイク２の幅の増加防止が可能になるとともに、バイク２に後部座席フットレスト３２を設置する際のコストを削減出来るため、バイク２の使用効果を高められる。
【００１６】
本発明のもう一つの効果は以下の通りである。
即ち、後方フレーム２１ｂの上昇パイプ部２１４、及び延伸パイプ部２１５の一部は、中央蓋２４と車体蓋２５の間において外部露出し、より詳しく述べると、後方フレーム２１ｂの上昇パイプ部２１４上における後部座席フットレスト固定部２１６の凹部２１６１は、中央蓋２４と車体蓋２５の間において外部露出し、これにより後部座席フットレスト固定部２１６に螺合される後部座席フットレスト部品３の螺設とメンテナンスがし易くなる。
【符号の説明】
【００１７】
（従来技術）
１    バイク
１１    フレームユニット
１１１    側方フレーム
１２    ブラケット
１２１    螺合孔
１３    後部座席フットレスト台座
１４    後部座席フットレスト
（本発明）
２    バイク
２１    フレームユニット
２１ａ    前方フレーム
２１ｂ    後方フレーム
２１１    ヘッドパイプ
２１２    メインパイプ
２１３    サイドパイプ
２１４    上昇パイプ部
２１５    延伸パイプ部
２１６    後部座席フットレスト固定部
２１６１    凹部
２１６２    貫通孔
２２    スリーブ
２２１    内ネジ山
２３    シート
２４    中央蓋
２５    車体蓋
３    後部座席フットレスト部品
３１    後部座席フットレスト台座
３１１    螺合部
３１１１    螺合孔
３１２    延伸部
３１３    枢設部
３２    後部座席フットレスト
Ｓ    螺合部品
【図１】
2017047884.tif 000003
【図２】
2017047884.tif 000004
【図３】
2017047884.tif 000005
【図４】
2017047884.tif 000006
【図５】
2017047884.tif 000007